(57)【特許請求の範囲】
【請求項１】
床下地の上に、保水量の多い高保水性材料とそれより保水量の少ない低保水性材料との保水量の異なる保水性材料により、床表面を平滑に形成するとともに、保水性材料を排水に有効となるように高保水性材料を排水経路として配置することを特徴としたバルコニー等の床構造。
【請求項２】
床下地は水勾配を形成し、保水量の異なる複数の保水性材料のうち、より保水量の多い高保水性材料を水上側端に配置する請求項１記載のバルコニー等の床構造。
【請求項３】
高保水性材料を水下側端にも配置し、これを水勾配方向に配置する高保水性材料により水上側端の高保水性材料と接続するとともに、水下側端の高保水性材料に排水口を接続する請求項２記載のバルコニー等の床構造。
【発明の詳細な説明】
【技術分野】
【０００１】
本発明は、建物のバルコニー、ベランダ、屋上等の床構造に関するものである。
【背景技術】
【０００２】
例えばバルコニーでは設置される空調設備機器等からのドレン水や、降り注ぐ雨水などが床表面に留まると、人が立ち入った際に水跳ねが生じるなどして不快感を及ぼす上、これらの水が留まり続けると腐敗するおそれがあることから、排水できるようにしている。
【０００３】
従来のバルコニーの床構造の排水手段としては、側溝を設けたり、床面に水勾配をとってその勾配の最下部に排水口を設けて速やかにバルコニー外へ排出するようにしたものが一般的である。
【０００４】
一方、近年、ヒートアイランド現象による夏季の市街地の温度上昇が問題になっており、この現象を抑制するため、建造物の表面に保水性材料を使用し、保水性材料表面からの蒸散作用により、建造物の温度上昇や市街地のヒートアイランド現象を抑制するものが、以下の特許文献等において提案されている。
【特許文献１】特開２００４−１２４５７４号公報
【特許文献２】特開２００２−２９４８５６号公報
【０００５】
このうち特許文献１は、建造物の外面に、保水性に富む保水コンクリートからなる保水パネルを配置して、保水パネルからの水分の蒸散作用によって建造物を冷却するというものであり、水分は給水配管によって適宜保水パネルに供給するとしている。
【０００６】
しかし、降雨などにより、バルコニーなど人が立ち入る部分に多量の水が侵入した場合には、この水を有効に排水する必要があるが、特許文献１においてはその具体的な方法は示されていない。
【０００７】
特許文献１の技術をバルコニーに適用した例を図３に示すと、バルコニー１は建造物本体側壁面２より外側に張り出すようにしてスラブ１０を設けるもので、床下地６の上に保水性材料として保水コンクリートからなる保水パネル１１を敷設する。
【０００８】
床下地６は建物外側（図中左側）に行くに従って低くなるよう水勾配１９をとる。なお、図中５はバルコニーの外縁の立上がり部、９はその上に設置した手摺である。
【０００９】
床表面に排水用の側溝１２を設けたり、また、エアコンのドレン水用側溝１３を設けたり、蛇腹管等によるドレインレール１４を設けたりして、排水するようにしている。
【００１０】
特許文献２には、図４に示すように、バルコニーユニット２０の床下地２４の上に防水層２１を設け、防水層２１の上に略平坦な保水性を有する床仕上げ層２２を設け、雨水をこの床仕上げ層２２にある量だけ完全に取り込んで保水し、保水した水は後に自然蒸発するようにしたバルコニーの床構造が提案されている。なお、図中２５は断熱材である。
【発明の開示】
【発明が解決しようとする課題】
【００１１】
前記特許文献１の応用としての図３のものでは、側溝１２やドレインレール１４の存在が床表面に凹凸を生じさせ、この凹凸により意匠性が損なわれる上、バリアフリーの観点からも問題があった。また、実際の施工では側溝１２のために床スラブコンクリートの型枠を製作する必要があり、施工性を悪化させる原因となっていた。
【００１２】
また、特許文献２のバルコニーの床構造は、多量の雨が降った場合などの水処理性を確保する手段として、保水性を有する床仕上げ層に排水口を接続するとしているが、略平坦な床仕上げ層の上では水は排水口へと向かわず、十分に排水できないという点について考慮されていない。
【００１３】
さらに、床仕上げ層の保水性が高い場合にはバルコニーの床に多くの水を取り込み過ぎ、水が腐敗してしまうおそれがあるという問題があり、逆に保水性が低い場合にはバルコニーの床が確保する水分量が少なくなり、短期間しか蒸散作用が得られないという問題がある。
【００１４】
本発明の目的は前記従来例の不都合を解消し、平滑な床表面により意匠性、バリアフリー性に優れることに加え、施工性も向上し、床上の排水を良好に保ちつつ、太陽熱による建造物の温度上昇を抑制して市街地のヒートアイランド現象の軽減に寄与できる蒸散効果を長期間持続して得られるバルコニー等の床構造を提供することにある。
【課題を解決するための手段】
【００１５】
前記目的を達成するため本発明のバルコニー等の床構造は、第１に、床下地の上に、保水量の多い高保水性材料とそれより保水量の少ない低保水性材料との保水量の異なる保水性材料により、床表面を平滑に形成するとともに、保水性材料を排水に有効となるように高保水性材料を排水経路として配置すること、第２に、床下地は、水勾配を形成し、保水量の異なる複数の保水性材料のうち、より保水量の多い高保水性材料を水上側端に配置すること、第３に、高保水性材料を水下側端にも配置し、これを水勾配方向に配置する高保水性材料により水上側端の高保水性材料と接続するとともに、水下側端の高保水性材料に排水口を接続することを要旨とするものである。
【００１６】
請求項１記載の本発明によれば、保水量の多い高保水性材料とそれより保水量の少ない低保水性材料との、保水量の異なる保水性材料により床表面を形成することにより、バルコニーの床に凹凸をなくし、意匠性に優れるとともにバリアフリー性にも優れる。更に、床下地となる床スラブコンクリートを作る際、側溝などの凹凸のために型枠を製作する必要が無く、施工性が向上する。
【００１７】
また、保水性材料を排水に有効となるように高保水性材料を排水経路として配置するので、床表面を水平かつ平滑にしても、バルコニー床上の水は十分に排水される。さらに、保水性の異なる複数の保水性材料を使用することにより、保水量の多い高保水性材料が多量の水分を蓄えるとともに水分を徐々に保水量の少ない低保水性材料に供給し、低保水性材料が適量の水分を吸収して蒸散するから、蒸散による冷却効果を長期間持続することができる。
【００１８】
請求項２記載の本発明によれば、前記作用に加えて、床下地は水勾配をとるので保水性の異なる複数の保水性材料を排水により有効となるように配置することが可能であり、バルコニーは一般的に建造物本体に近い方が水上側となっており、建造物に設置される設備機器からの排水は水上側から流れ出すが、水上側端に位置する高保水性材料がドレインレールの役割を果たしてこのような排水を効率良く吸収することができ、さらに高保水性材料に蓄えられた水分は重力によって水下側に位置する低保水性材料へと少しずつ移動して蒸散するようにすることができる。
【００１９】
請求項３記載の本発明によれば、高保水性材料を配置する部分が排水経路として作用し、バルコニー床上の水を効率良く排水することができる。すなわち、水上側端の高保水性材料がドレインレールの役割を果たし、水下側端の高保水性材料が側溝の役割を果たし、さらにこれらの間を水勾配方向に沿って配置する高保水性材料で接続するようにしたから、水上側端の高保水性材料で蓄えきれなくなった水分は水勾配方向に配置する高保水性材料を伝って水下側端の高保水性材料へと流れ込み、これに接続する排水口へと排水される。
【発明の効果】
【００２０】
以上述べたように本発明のバルコニー等床構造は、平滑な床表面により意匠性に優れるとともにバリアフリー性にも優れ、床上の排水を良好に保ちつつ、太陽熱による建造物の温度上昇を抑制して市街地のヒートアイランド現象の軽減に寄与できる蒸散効果を長期間持続して得ることができるものである。
【発明を実施するための最良の形態】
【００２１】
以下、図面について本発明の実施形態を詳細に説明する。図１は本発明のバルコニー等の床構造の１実施形態を示す平面図、図２は縦断側面図で、バルコニーの場合である。
【００２２】
図１および図２に示すように、バルコニー１は建造物本体側壁面２より外側に張り出すようにしてスラブ１０を設けるもので、その上面は床下地６となる。
【００２３】
床下地６は平坦なものでもよいが、図示のように外側（図中左側）に行くに従って低くなるよう水勾配１９をとるようにした。なお、図中５はバルコニーの外縁の立上がり部、９はその上に設置した手摺である。
【００２４】
そして床下地６の上に、保水性材料として、保水量が大きい方の保水性コンクリート（以下、高保水性コンクリート）３と、それよりも保水量が小さいコンクリート（以下、低保水性コンクリート）４とからなる保水量の異なる２種類の保水性コンクリートを、その上面が水平かつ平滑となるように敷き詰めて、床表面８を形成する。ただし、床下地６に勾配があれば、必ずしも、床表面８を水平にする必要は無い。
【００２５】
保水性コンクリートは、ポーラスコンクリートの空隙に保水材を充填することにより形成される。ここで使用する保水材としては、長期に亘って除々に水分を放出するものであればよく、特に、日光（紫外線）への曝露によって劣化し難い無機系保水材が好適である。このような無機系保水材としては、例えば、モンモリロナイトやカオリナイト等の粘土鉱物、高炉スラグ微粉末、フライアッシュ、珪石粉、石灰石粉末、シリカヒューム、パーライト、セピオライトなどが挙げられ、これらを単独で又は二種以上を組み合わせて用いることができる。このようなポーラスコンクリートに用いることのできる無機系保水材は市販されており、具体的には、商品名：涼（小野田ケミコ株式会社製）等が挙げられる。
【００２６】
そして、保水材の充填に際しては、例えば、前記無機系保水材１００質量部に対して、水６０〜１００質量部が混合されたスラリー状の保水材が使用される。スラリー状の保水材とすることで、保水材の充填量及び充填位置（深さ）をより正確に調整することができる。
【００２７】
さらに、保水性コンクリートとしては出願人の先に出願した特開２００２−１７３３５３号の保水性コンクリートを利用することもできる。 
【００２８】
これは、細骨材および粗骨材と共に植物繊維を配合してなるセメント系コンクリートであって、３５０kgf／cm2以上の圧縮強度、５０kgf／cm2以上の曲げ強度および１０％以上の吸水率を有する保水性コンクリートである。
【００２９】
前記植物繊維には、種子毛繊維（代表的にはワタ）、ジン皮繊維（代表的にはアサ）、茎幹繊維（代表的にはワラ）、葉繊維（代表的にはマニラアサ）または木材繊維が挙げられるが、種子毛繊維特に「綿」が好ましく、繊維長さが２〜８ｍｍの市場で入手可能な綿が便宜である。
【００３０】
前記保水量が大きい方の保水性コンクリート（以下、高保水性コンクリート）３と、それよりも保水量が小さいコンクリート（以下、低保水性コンクリート）４とからなる保水量の異なる２種類の保水性コンクリートの保水量の違いは、保水性コンクリートの保材質やその量によっても調節できるが、コンクリートの空隙率の差によって容易に調節が可能となる。
【００３１】
高保水性コンクリート３は排水経路として配置するものであるが、通常はドレインレールが配置される水上側端と、通常は排水溝が設けられる水下側端に配置し、さらに水勾配方向に沿って配置する高保水性コンクリート３によりこれらを接続する。
【００３２】
その他の部分には低保水性コンクリート４を配置する。また、水下側端の高保水性コンクリート３には排水口７を接続する。なお、排水口７の上面をこの高保水性コンクリート３で閉塞することも考えられるが、清掃等の必要性から開放面としておく。
【００３３】
図中１５はドレン水給水部で、ドレインレールを省略して打ち水形式でドレン水をここに集めて供給できる。
【００３４】
高保水性コンクリート３や低保水性コンクリート４は、これをパネルやブロックとして形成し、敷き詰めることが可能である。また、高保水性コンクリート３や低保水性コンクリート４それぞれの材料の保水量・蒸散量の組み合わせや、高保水性コンクリート３や低保水性コンクリート４の敷き詰め方のパターンを調整することで、蒸散効果に自由度を持たせることができる。
【００３５】
次に、バルコニー床上での排水と蒸散の仕組みについて説明する。建造物の設備機器の室外機からの排水などがバルコニー１に流れ込むと、水上側端の高保水性コンクリート３がドレインレールの役割を果たし、排水経路として働く。すなわち、水の量が少ない場合には高保水性コンクリート３が水分を吸収し、水下側に隣接する低保水性コンクリート４に徐々に水分を供給する。
【００３６】
これにより低保水性コンクリート４は適量の水分を吸収し、水分を蒸散させる。バルコニー１の床表面８からの蒸散は、バルコニー表面やバルコニー空間の温度上昇を抑制し、建造物に設置される空調機器の効率向上や、バルコニー１に面する住空間の温度上昇抑制効果をもたらし、ひいては市街地のヒートアイランド現象の軽減に寄与することができる。高保水性コンクリート３は多量の水分を蓄えることができ、これを徐々に低保水性コンクリート４に供給するから、このような蒸散効果を長期間持続して得ることができる。
【００３７】
一方、水の量が多い場合には、水上側端の高保水性コンクリート３で蓄えることができなくなった水分は、図１において矢印で示すように、水勾配方向に沿って設ける高保水性コンクリート３を伝って水下側端の高保水性コンクリート３へと流れ込み、さらにこれに接続する排水口７へと流れ込んでバルコニー１外へと排出される。つまり、水下側端の高保水性コンクリート３が排水溝としての役割を果たす。
【００３８】
このように、高保水性コンクリート３を配置した部分が排水経路として働くから、バルコニーの床表面８には排水溝やドレインレールなどの凹凸や、勾配を設ける必要がなく、平滑な美しさを保つことができ、意匠性に優れるとともにバリアフリー性にも優れたものとなる。
【００３９】
また、排水溝や側溝、ドレインレールなどのために、スラブ１０の型枠を製作する必要が無く、施工性も向上する。
【００４０】
以上の実施形態はバルコニーについて述べたが、ベランダや屋上等の床についても同様に適用可能である。
【図面の簡単な説明】
【００４１】
【図１】本発明の本発明のバルコニー等の床構造の１実施形態を示す平面図である。
【図２】本発明のバルコニー等の床構造の１実施形態を示す縦断側面図である。
【図３】従来例を示す縦断側面図である。
【図４】他の従来例を示す縦断側面図である。
【符号の説明】
【００４２】
１  バルコニー                  ２  建造物本体側壁面
３  高保水性コンクリート
４  低保水性コンクリート        ５  外縁の立上がり部
６  床下地                      ７  排水口
８  床表面                      ９  手摺
１０  スラブ                    １１  保水パネル
１２  側溝                      １３  ドレン水用側溝
１４  ドレインレール            １５  ドレン水給水部
１９  水勾配
２０  バルコニーユニット        ２１  防水層
２２  床仕上げ層                ２４  床下地
２５  断熱材
【図１】
0004795128.tif 000002
【図２】
0004795128.tif 000003
【図３】
0004795128.tif 000004
【図４】
0004795128.tif 000005